(57)【要約】【課題】楽曲データを取得するためのユーザの負荷を軽減する。【解決手段】大容量記録媒体であるＨＤＤ１４に予め楽曲データ５０を記録した状態で楽曲データ管理装置１を販売する。楽曲データ管理装置１の購入者は、外部から楽曲データ５０を取り込むことなく、ＨＤＤ１４に記録された楽曲データ５０を再生することができる。また、楽曲データ５０が暗号化されている暗号化楽曲データ５２である場合、ユーザは、ＨＤＤ１４に記録された楽曲データ５２を復号するだけで楽曲データ５０を再生することができる。【選択図】  図４
2005003740.tif 000002
【特許請求の範囲】
【請求項１】
楽曲データが予め記録された記録手段と、
上記記録手段に記録された楽曲データを再生する再生手段と
を備えることを特徴とする楽曲データ処理装置。
【請求項２】
上記記録手段に記録された楽曲データの一部又は全部は、暗号化されており、
上記暗号化された楽曲データの復号化情報を受信する復号化情報受信手段と、上記復号化情報に基づいて暗号化された楽曲データを復号化する復号化手段と
を備えることを特徴とする請求項１記載の楽曲データ処理装置。
【請求項３】
所定の条件を基に上記予め記録された楽曲データが不要か否かを判断し、不要と判断された楽曲データが記録された記録領域を解放する記録領域解放手段を備えることを特徴とする請求項１記載の楽曲データ処理装置。
【請求項４】
上記記録領域解放手段は、
上記再生手段によって上記楽曲データが再生されていない期間を条件として、上記楽曲データが不要か否かを判断することを特徴とする請求項３記載の楽曲データ処理装置。
【請求項５】
上記記録領域解放手段は、
上記復号化手段によって復号化された楽曲データの種類をもとに楽曲データを不要な楽曲データであると判断する請求項３記載の楽曲データ処理装置。
【請求項６】
暗号化された楽曲データが予め記録された記録手段と、上記暗号化された楽曲データを復号化する復号化手段とを備える楽曲データ処理装置と、
上記楽曲データを復号化するための復号化情報を上記楽曲データ処理装置に提供する復号化情報提供手段と、上記復号化情報に対する代金を上記楽曲データ処理装置に課金する課金手段とを備える楽曲データ販売装置と
を備えることを特徴とする楽曲データ販売システム。
【発明の詳細な説明】
【０００１】
【発明の属する技術分野】
本発明は、楽曲データ処理装置及び楽曲データ販売システムに関する。
【０００２】
【従来の技術】
従来、音楽の入手方法としては、ＣＤのように楽曲データの記録された記録媒体を購入する方法とラジオ放送のように電波を介して送信された楽曲データを受信する方法が存在する。また、近年、音楽配信と呼ばれるインターネットのような伝送媒体を介して楽曲データを伝送する方法が存在する。音楽配信で楽曲データを伝送する場合、一般には、楽曲データに伝送媒体や記録媒体容量を考慮したうえで楽曲データには圧縮処理が施されている。
【０００３】
最近では、大容量のＨＤＤ（ハードディスクドライブ）を内蔵し、圧縮された楽曲データをＨＤＤに一括で記録する楽曲データ処理装置が存在する。また、この楽曲データ処理装置は、従来のように、記録媒体に記録された楽曲データやラジオ放送から受信した楽曲データも同一フォーマットで圧縮しＨＤＤに記録することが可能である（例えば、特許文献１参照。）。
【０００４】
このように、ユーザが所有している楽曲を大容量のＨＤＤに記録すると、楽曲の一括管理が可能となり、所有楽曲情報の把握や所望の楽曲の検索などを効率的に行うことができる。また、このような楽曲データ処理装置では、楽曲の作曲者や再生回数、再生した日時といった様々なパラメータでの分析や管理が可能となり、このパラメータに応じたネットワークサービス等も可能となる。
【０００５】
従来、楽曲データをネットワークから受信し、大容量のＨＤＤに記録する楽曲データ処理装置としては、パーソナルコンピュータが一般的であったが、最近では、家庭用ゲーム機や専用機器でも実現されている。
【０００６】
【特許文献１】
特開２００２−２０２７８５
【０００７】
【発明が解決しようとする課題】
しかしながら、従来の楽曲管理装置は大容量のＨＤＤを搭載しているにも関わらず、実際の楽曲購入に関してはシステム購入後にシステム購入者自身がＣＤのような記録媒体を購入してＨＤＤへの記録を行ったり、音楽配信システムから音楽データを受信し記録したりする必要が生じ、時間面と金銭面でユーザの負担となる。
【０００８】
本発明は、上述した課題に鑑みてなされたものであって、楽曲データを取得するためのユーザの負荷を軽減する楽曲データ処理装置及びこの楽曲データ処理装置に楽曲データを販売する楽曲データ販売システムを提供することを目的とする。
【０００９】
【課題を解決するための手段】
上述した目的を達成するため、本発明にかかる楽曲データ処理装置は、楽曲データが予め記録された記録手段と、記録手段に記録された楽曲データを再生する再生手段とを備える。
【００１０】
また、本発明にかかる楽曲データ販売システムは、暗号化された楽曲データが予め記録された記録手段と、暗号化された楽曲データを復号化する復号化手段とを備える楽曲データ処理装置と、楽曲データを復号化するための復号化情報を楽曲データ処理装置に送信する復号化情報送信手段と、復号化情報に対する代金を楽曲データ処理装置に課金する課金手段とを備える楽曲データ販売装置とを備える。
【００１１】
【発明の実施の形態】
以下、図面を参照し本発明を適用した楽曲データ管理装置１について説明する。楽曲データ管理装置１は、図１の点線枠内に示されている。楽曲データ管理装置１は、楽曲データを取り込む記録媒体読み込み部１１や外部処理部２１、楽曲データを再生する再生処理部１７、楽曲データを記録媒体３０に記録する記録部２３、著作権保護を行う著作権管理用暗号化部１３、暗号化された楽曲データを復号する著作権管理用復号化部１９、記録媒体認証部２４などを備える。また、楽曲データ管理装置１は、楽曲データを記録する大容量のＨＤＤ１４（ハードディスクドライブ）と、ユーザインターフェースとしての表示部１６及び操作部２０と、楽曲データ管理装置１の各ブロックを制御するメインコントローラ１５とを備える。
【００１２】
この楽曲データ管理装置１は、楽曲データをＨＤＤ１４に一旦記録し、記録した楽曲データの記録及び再生を行う。楽曲データ管理装置１では、外部から楽曲データを取り込むだけでなく、ＨＤＤ１４に予め楽曲データが記録されている。そのため、ユーザは外部の楽曲データを取得しなくても、既にＨＤＤ１４に記録された音楽を聴くことができる。
【００１３】
以下、楽曲データ管理装置１による楽曲取得処理について順を追って説明する。まず、記録媒体３０から取り込んだ楽曲データをＨＤＤ１４に記録する処理について説明する。記録媒体３０を介して音楽データを読み込む場合、楽曲データは、エンコーダ１２及び著作権管理用暗号化部１３を経由してＨＤＤ１４に入力される。エンコーダ１２は、記録媒体読み込み部１１によって読み込まれたＰＣＭデータファイル又はＰＣＭデータストリームに対して音声信号圧縮処理を施す。音声信号圧縮処理は、楽曲データのデータ容量を小さくし、後述する記録処理を効率化する。音声信号圧縮処理が施された楽曲データは、暗号化部で暗号化される。この著作権管理用暗号化部１３による暗号化は、ＨＤＤ１４に記録する楽曲データの著作権を保護するためのものである。楽曲データ管理装置１は、この暗号を復号する著作権管理用復号化部１９を有し、楽曲データの著作権を侵害しない条件が満たされると暗号化された楽曲データの復号化を行う。
【００１４】
また、記録媒体読み込み部１１は、楽曲データのほかに、楽曲ごとの識別コードである、いわゆるＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）情報やＩＳＲＣ情報以外のテキスト情報等を読み出す。メインコントローラ１５は、これらの情報を全て付加情報と定義し、楽曲データとを関連付けた状態でＨＤＤ１４に蓄積する。付加情報は、暗号化されず、読み取り可能な状態でＨＤＤ１４に蓄積される。付加情報は、楽曲データの管理情報となる。なお、記録媒体読み取り部１１は、楽曲データ管理装置１内部に構成せず、外部インターフェースを介して接続させることも可能である。また、いわゆる電子透かしの技術を用いて楽曲情報の製造元を明確化する方法をとることも可能である。
【００１５】
次に、音楽配信業者によって配信される楽曲情報をＨＤＤ１４に記録させる処理について説明する。音楽配信業者は、外部サーバ４０を介して音楽の配信を行う。外部サーバ４０は、音楽配信業者の管理下にある。外部処理部２１は、外部サーバ４０との間で楽曲データの購入処理を行う。図２を参照して購入処理の一例を説明する。まず、外部処理部２１は、外部サーバ４０に対して、楽曲データのダウンロード要求を出力する（ステップＳ１）。ダウンロード要求を受けた外部サーバ４０は、要求された楽曲を楽曲データ管理装置１に送信する（ステップＳ２）。この楽曲データは、外部サーバ４０側で販売用暗号化がなされており、このままでは再生することができない。外部処理部２１は、楽曲の購入要求を外部サーバ４０に出力する（ステップＳ３）。外部サーバ４０は、認証情報の要求を楽曲データ管理装置１に送信し（ステップＳ４）、外部処理部２１は認証情報を外部サーバ４０に出力する（ステップＳ５）。
【００１６】
外部サーバ４０は、認証情報を受け取ると、認証処理や課金処理等を行う（ステップＳ６）。認証処理の一つの方法として、例えば、ユーザのパスワードとユーザの識別コードとを認証情報とする方法がある。この場合、外部サーバ４０を管理する音楽配信業者は、ユーザと契約した段階で、ユーザの識別コードを発行し、この識別コードと組み合わせて使用されるパスワードを認証情報データベースに格納する。外部サーバ４０は、ステップＳ５においてユーザから出力された識別コードとパスワードとの組み合わせが認証情報データベースに存在するか否かによって認証を行う。この識別コードやパスワード等の認証情報は、直接的に配信業者とユーザ間とで結ばれたものでなくとも、例えば金融機関との間で契約された情報を利用する方法も考えられるが、本実施の形態では、説明の都合上、配信業者とユーザとは直接契約を結び、外部サーバ４０に各ユーザを識別するための識別コードと、それに伴う付加情報がデータベース化されているものとする。外部サーバ４０は、認証が完了すると電子決済を行う。そして、外部サーバ４０は、認証や課金に伴う全ての処理が正常に終了すると、既に外部処理部２１に送信した楽曲情報を復号するための復号キーを外部処理部２１に送信する（ステップＳ７）。購入データ復号化部２２は、外部サーバ４０から受信した復号キーを用いて購入した楽曲データを復号化し、著作権管理用暗号化部１３へ出力する。著作権管理用暗号化部１３は、楽曲データを暗号化し、ＨＤＤ１４に出力する。なお、この著作権管理用暗号化部１３によって施される暗号化は、著作権保護を行うための暗号化であり、ネットワークを介して購入した楽曲データにかけられた販売用暗号化とは異なる。
【００１７】
また、ここでは外部サーバ４０から配信される楽曲データが楽曲データ管理装置１と同様の方式で圧縮符号化がなされている前提で説明をしているが、楽曲データ管理装置１と異なる方式で圧縮符号化がなされている場合は、外部処理部２１で楽曲データの解凍を行った後、エンコーダ１２に出力する。エンコーダ１２は楽曲データ管理装置１で採用している音声信号圧縮方式を用いて楽曲データを圧縮し、圧縮した楽曲データを著作権管理用暗号化部１３に出力する。
【００１８】
さらに、外部処理部２１は、ＩＳＲＣ情報やテキストなどの付加情報を受信すると、楽曲データと対応付けてＨＤＤ１４に記録させる。付加情報は、上記と同様、暗号化されず、読み取り可能な状態でＨＤＤ１４に蓄積される。付加情報は、楽曲データの管理情報となる。
【００１９】
このように、楽曲データ管理装置１では、外部の記録媒体３０やネットワークから取り込んだ楽曲データを暗号化してＨＤＤ１４に蓄積する。楽曲データ管理装置１は、ＨＤＤ１４に蓄積された楽曲データを再生する再生処理を行う。操作部２０に再生指示が入力されると、メインコントローラ１５は再生指示のあった楽曲データを指定し、まずその楽曲データの復号化を著作権管理用復号化部１９によって行う。著作権管理用復号化部１９によって暗号が解除された圧縮符号化データは、デコーダ１８によって圧縮が解凍され、いわゆるＰＣＭデータとして出力される。再生処理部１７は、Ｄ／Ａコンバータ、フィルタ、アンプ、スピーカ等で構成される。再生処理部１７は、デコーダ１８から入力したＰＣＭデータを音声として再生する。また、メインコントローラ１５は、再生処理部１７の処理状態を管理し、再生状況や再生楽曲の付加情報等を表示部１６に表示させる。なお、再生処理部１７は、楽曲データ管理装置１の外部に設け、外部インターフェースを介して接続してもよい。
【００２０】
次に、ＨＤＤ１４に蓄積された楽曲を外部の記録媒体３０に記録する記録処理について説明する。楽曲データ管理装置１の記録部２３は、ＨＤＤ１４に記録された楽曲データをフラッシュメモリやＤＶＤ等の記録媒体３０に記録する。このとき、無作為に楽曲情報が記録媒体３０に記録された場合、著作権侵害のおそれがあるため、記録媒体３０への記録は、例えば３回までという記録の制限を設ける。また、記録媒体認証部２４は、記録媒体３０に埋め込まれた記録媒体識別コードを基に記録媒体３０の正当性を判別する。記録部２３は、記録媒体３０の正当性が判別されると、楽曲データと復号キーとを記録媒体３０に記録する。このように、記録媒体３０への書き込みが行われた状況をチェックアウトと呼ぶ。
【００２１】
チェックアウトによって楽曲情報が記録された記録媒体３０は、著作権管理用復号化部１９、デコーダ１８、再生処理部１７と同様の構成を備えた外部の再生装置によって再生される。
【００２２】
また、上記チェックアウトと逆の操作としてチェックインがある。これは、ＨＤＤ１４から記録媒体３０に記録された楽曲データを論理的にＨＤＤ１４に返還する処理である。チェックインを行うことで、記録媒体３０のチェックアウト状況は解除され、外部の再生装置で記録媒体３０を再生することができない状態となる。
【００２３】
このように、楽曲データ管理装置１は、大容量の記録手段であるＨＤＤ１４を備え、ＨＤＤ１４に記録された楽曲データの再生機能や他の記録媒体３０への記録機能を有する。また、この楽曲データ管理装置１の販売時には、ＨＤＤ１４に予め楽曲データが記録されている。図３は、ＨＤＤ１４に記録された楽曲データ５０の一例を示している。図３（ａ）に示すＨＤＤ１４には、音楽販売業者によって提供されている楽曲データとなんら遜色ない高品質な楽曲データ５１が記録されている。この場合、ユーザは、楽曲データ管理装置１の購入時に既に楽曲データ５１の代金を支払っている。楽曲データ５１を予め記録して販売すれば、ユーザは外部ネットワークへの接続やネットワーク接続業者との契約などの面倒な手続きを行うことなしに音楽を聴くことができる。また、楽曲データ管理装置１の販売者は、楽曲データ管理装置本体だけでなく楽曲データの販売利益を得ることができる。
【００２４】
図３（ｂ）に示すＨＤＤ１４には、暗号化された楽曲データ５２が記録されている。この暗号化は、楽曲データを販売するための暗号化であり、購入データ復号化部２２によって復号化される。この暗号化の復号キーは音楽提供業者によって管理されている。音楽提供業者は、ＨＤＤ１４に記録された楽曲データに対する代金が支払われると、楽曲データを復号化する復号キーを楽曲データ管理装置１に伝送する。購入データ復号化部２２は、購入した楽曲データ復号する。
【００２５】
暗号化された楽曲データを購入する手順を図４のフローチャートに従い説明する。まず、楽曲データ管理装置１のＨＤＤ１４は、暗号化によりユーザが視聴不能な楽曲データが記録されて（ステップＳ１０）、販売される（ステップＳ１１）。
【００２６】
ユーザは、暗号化された楽曲データが予め記録された楽曲データ管理装置１を購入する（ステップＳ１２）。楽曲データ管理装置１を購入したユーザには、楽曲データ管理装置１に添付されたパンフレット、インターネットのサイト、ＨＤＤ１４に予め記録された広告情報などを媒体として、楽曲データの内容が提供される。購入した楽曲データ管理装置１に記録された楽曲データを購入する場合、ユーザは、所望の楽曲データを選択し、選択した楽曲データの購入要求を楽曲データの管理者に出力する（ステップＳ１３）。なお、楽曲データの管理者とは、個人を意味しているわけではなく、ＨＤＤ１４に記録される楽曲データの復号キーを管理する単一若しくは複数のサーバを意味している。
【００２７】
楽曲データの管理者は購入要求を受けると認証情報の送信を要求し（ステップＳ１４）、楽曲データ管理装置１は認証情報を管理者に返信する（ステップＳ１５）。管理者は認証が完了すると課金処理を行い（ステップＳ１６）、購入要求を受けた楽曲データの復号キーをユーザに提供する（ステップＳ１７）。
【００２８】
このように、楽曲データを予めＨＤＤ１４に記録しておくと、オンラインで楽曲を購入する際、楽曲データを伝送する必要がなくなる。これにより、伝送の負荷が軽くなり、通信時間が短縮される。
【００２９】
なお、第２の購入例では、試聴できる状態の楽曲をＨＤＤ１４に記録し、ユーザの購買意欲を促してもよい。楽曲を試聴できる状態にするためには、例えば、低品質な視聴用のデータをＨＤＤ１４に記録したり、ＨＤＤ１４に記録された楽曲の再生回数を制限したり、曲の一部（さび、特徴的な部分）だけを聴くことができるような構成にする。
【００３０】
また、ここでは、オンラインの課金処理の例について説明したが、いわゆるカードのような記録媒体３０を用いて、オフラインによる課金処理を行い、復号キーを発行するようにしてもよい。もちろん、この復号キーを記録した、例えばフラッシュメモリをオフラインで送付するようにしてもよい。
【００３１】
上述のように、暗号化した楽曲データをＨＤＤ１４に記録して販売すると、ＨＤＤ１４の未使用領域が少なくなる。楽曲データ管理装置１は、図１に示すように、不要な楽曲データが記録された領域を解放するための自動更新処理部２５と、購入データ部２６とを備え、不要な楽曲データが記録された記録領域を効率的に活用する。自動更新処理部２５はコントローラが実行する一機能であり、購入データ部２６はＨＤＤ１４に蓄積されたデータ集合である。購入データ部２６には、音楽データがＨＤＤ１４に記録された記録日時、音楽データのジャンルなどの情報が更新用情報として記録される。
【００３２】
自動更新処理部２５は、不要な楽曲データをＨＤＤ１４から削除する。削除する楽曲データは、例えば、記録された日時が古いものや試聴された日時が古いものなどである。また、自動更新処理部２５は、ユーザが既に購入した楽曲データのジャンルを基にユーザの好みを割り出し、ユーザが購入する可能性の低いジャンルの楽曲データを削除する。
【００３３】
また、自動更新処理部２５は、表示部１６に楽曲データの要不要をユーザに問い合わせ、ユーザが不要と指示した楽曲データを削除する。自動更新処理部２５は、楽曲データが必要か否か指示されていない場合には、削除する候補となっている楽曲データを表示部１６に表示し、不要な自動更新処理を防ぐ。
【００３４】
なお、上記の説明では、楽曲データ管理装置１に設けられた自動更新処理部２５が楽曲データを削除するとしたが、外部サーバ４０が楽曲データを上書きするような構成としてもよい。
【００３５】
以上説明したように、本発明を適用した楽曲データ管理装置１は、販売時に予め楽曲データが記録されている。この楽曲データ管理装置１では、外部から楽曲データを入手することなく、予め記録された音楽を聴くことができる。
【００３６】
また、楽曲データをＨＤＤ１４に予め記録することによってオンラインで楽曲データを購入する際、楽曲データの伝送処理が不要になり、楽曲データの伝送時間やユーザの通信費などを削減することができる。
【００３７】
さらに、不要な楽曲データが記録された記録領域を使用可能とすることにより、予め多数の楽曲データが記録されたＨＤＤ１４であっても、効率的に記録領域を活用することができる。
【００３８】
また、予め楽曲データが記録されていることをユーザに通知することにより、楽曲データ管理装置１というハードウェアの販売が楽曲データというソフトウェアの販売に直接繋がる。楽曲データ管理装置１の製造者は、楽曲データの販売者と契約し、楽曲データを広告したり、逆に記録した楽曲データを楽曲データ管理装置１の付加価値として楽曲データ管理装置１の購買意欲を高めたりしてもよい。
【００３９】
【発明の効果】
上述したように、本発明における楽曲データ処理装置は、記録手段に予め楽曲データを記録しているため、新たに楽曲データを外部から取り込まなくても、楽曲を再生することができる。
【００４０】
また、本発明における楽曲データ販売システムは、楽曲データを伝送しなくても、復号化情報を伝送するだけで、楽曲データのオンライン販売をすることができる。
【図面の簡単な説明】
【図１】楽曲データ管理装置の構成を示す図である。
【図２】オンラインでの楽曲データ購入処理を示す図である。
【図３】楽曲データ管理装置の販売時にＨＤＤに記録された楽曲データの一例を示す図である。
【図４】楽曲データ管理装置の販売時にＨＤＤに記録された楽曲データをオンラインで購入するときの楽曲データ購入処理を示す図である。
【符号の説明】
１  音楽データ管理装置、１１  記録媒体読み込み部、１２  エンコーダ、１３著作権管理用暗号化部、１４  ＨＤＤ、１５  メインコントローラ、１６  表示部、１７  再生処理部、１８  デコーダ、１９  著作権管理用復号化部、２０操作部、２１  外部処理部、２２  購入データ復号化部、２３  記録部、２４記録媒体認証部、２５  自動更新処理部、２６  購入データ部、３０  記録媒体、４０  外部サーバ、５０  楽曲データ、５１  高品質楽曲データ、５２  暗号化楽曲データ
【図１】
2005003740.tif 000003
【図２】
2005003740.tif 000004
【図３】
2005003740.tif 000005
【図４】
2005003740.tif 000006